(57)【要約】【課題】  撮影手段により光学機器を介した撮影を行う際に使用される撮影補助具を提供する。【解決手段】  撮影補助具１は、第１の挟持部材１１ｂと、第２の挟持部材１２ｂと、を備えている。第１の挟持部材１１ｂは、入射窓２４に対応した第１の撮影孔１１ｅが形成されており、第１の撮影孔１１ｅから入射窓２４が露出する位置で第１面２１と当接可能である。第２の挟持部材１２ｂは、第１の挟持部材１１ｂと協働してスマートフォン２を挟持するために第２面２２と当接可能である。第１の挟持部材１１ｂには、望遠鏡３の接眼レンズ体３１とフィットする形状を有すると共に、接眼レンズ体３１の覗き口３２に対応した第２の撮影孔１３ｃが形成されたアダプタ１３が着脱可能であり、接眼レンズ２３に入射した光は、覗き口３２、第２の撮影孔１３ｃ、第１の撮影孔１１ｅ、及び、入射窓２４を介して撮影レンズ２３に入射する。【選択図】図１
2018146713.tif 000002
【特許請求の範囲】
【請求項１】
撮影レンズに光を入射させるための入射窓が設けられた第１面と、前記第１面の反対面である第２面と、を有する撮影手段により光学機器を介した撮影を行う際に使用される撮影補助具であって、
前記入射窓に対応した第１の撮影孔が形成されており、前記第１の撮影孔から前記入射窓が露出する位置で前記第１面と当接可能な第１の挟持部材と、
前記第１の挟持部材と協働して前記撮影手段を挟持するために前記第２面と当接可能な第２の挟持部材と、
を備え、
前記第１の挟持部材には、前記光学機器の接眼レンズ体とフィットする形状を有すると共に、前記接眼レンズ体の覗き口に対応した第２の撮影孔が形成されたアダプタが着脱可能であり、前記接眼レンズに入射した光は、前記覗き口、前記第２の撮影孔、前記第１の撮影孔、及び、前記入射窓を介して前記撮影レンズに入射することを特徴とする撮影補助具。
【請求項２】
前記第２の挟持部材は、前記第２面と面同士で当接するように支持部材により揺動可能に支持されていることを特徴とする請求項１に記載の撮影補助具。
【請求項３】
撮影レンズに光を入射させるための入射窓が設けられた第１面と、前記第１面の反対面である第２面と、を有する撮影手段により光学機器を介した撮影を行う際に使用される撮影補助具であって、
前記入射窓に対応した第１の撮影孔が形成されており、前記第１の撮影孔から前記入射窓が露出する位置で前記第１面と当接可能な第１の挟持部材と、
前記第１の挟持部材と協働して前記撮影手段を挟持するために前記第２面と当接可能な第２の挟持部材と、
前記第１の挟持部材に着脱可能であり、前記光学機器の接眼レンズ体とフィットする形状を有すると共に、前記接眼レンズ体の覗き口に対応した第２の撮影孔が形成されたアダプタと、
を備え、前記接眼レンズに入射した光は、前記覗き口、前記第２の撮影孔、前記第１の撮影孔、及び、前記入射窓を介して前記撮影レンズに入射することを特徴とする撮影補助具。
【請求項４】
前記第２の挟持部材は、前記第２面と面同士で当接するように支持部材により揺動可能に支持されていることを特徴とする請求項３に記載の撮影補助具。
【請求項５】
前記アダプタは、円筒形状又は円筒形状の一部の形状を有しており、前記円筒液状の内周面は、複数のレンズ体にフィット可能となるよう、階段状に形成されていることを特徴とする請求項３又は４に記載の撮影補助具。
【発明の詳細な説明】
【技術分野】
【０００１】
本発明は、撮影手段により光学機器を介した撮影を行う際に使用される撮影補助具に関する。
【背景技術】
【０００２】
従来より、望遠鏡の接眼レンズに設けた保持部と、カメラ付き携帯電話機に設けた受け具部と、を固定することにより、カメラ付き携帯電話機を望遠鏡に固定した状態で拡大撮影を行う方法が知られている。（例えば、特許文献１参照）。
【先行技術文献】
【特許文献】
【０００３】
【特許文献１】特開２００８−１１０３９９号公報
【発明の概要】
【発明が解決しようとする課題】
【０００４】
しかしながら、上記特許文献１に記載の方法では、粘着テープ等により保持部と受け具部を貼り合わせているため、着脱に手間がかかり、また、望遠鏡や携帯電話機を粘着テープにより汚してしまう。更には、保持部と受け具部を設ける作業にも手間がかかると共に、望遠鏡や携帯電話機に傷もつけてしまう。
【０００５】
そこで、本発明は、光学機器を介した撮影を行う際に、光学機器に対して撮影手段を容易に固定可能な撮影補助具を提供することを目的としている。
【課題を解決するための手段】
【０００６】
本発明は、撮影レンズに光を入射させるための入射窓が設けられた第１面と、前記第１面の反対面である第２面と、を有する撮影手段により光学機器を介した撮影を行う際に使用される撮影補助具であって、前記入射窓に対応した第１の撮影孔が形成されており、前記第１の撮影孔から前記入射窓が露出する位置で前記第１面と当接可能な第１の挟持部材と、前記第１の挟持部材と協働して前記撮影手段を挟持するために前記第２面と当接可能な第２の挟持部材と、を備え、前記第１の挟持部材には、前記光学機器の接眼レンズ体とフィットする形状を有すると共に、前記接眼レンズ体の覗き口に対応した第２の撮影孔が形成されたアダプタが着脱可能であり、前記接眼レンズに入射した光は、前記覗き口、前記第２の撮影孔、前記第１の撮影孔、及び、前記入射窓を介して前記撮影レンズに入射することを特徴とする撮影補助具を提供している。
【０００７】
このような構成によれば、撮影手段や光学機器に対して固定のための細工を施す必要がなく、撮影手段に間接的に固定されたアダプタを接眼レンズ体に被せるという簡易な操作のみで、撮影手段を光学機器に対して固定することが可能となる。
【０００８】
また、前記第２の挟持部材は、前記第２面と面同士で当接するように支持部材により揺動可能に支持されていることが好ましい。
【０００９】
このような構成によれば、挟持する撮影手段の厚みに応じて第２の挟持部材が揺動し、第１の挟持部材と第２の挟持部材が平行な状態で対向することができるので、様々な厚みを有する撮影手段を安定して挟持することが可能となり、また、撮影手段による撮影方向と光学機器による観測方向とがずれてしまうことも防止されている。
【００１０】
また、本発明の別の観点によれば、撮影レンズに光を入射させるための入射窓が設けられた第１面と、前記第１面の反対面である第２面と、を有する撮影手段により光学機器を介した撮影を行う際に使用される撮影補助具であって、前記入射窓に対応した第１の撮影孔が形成されており、前記第１の撮影孔から前記入射窓が露出する位置で前記第１面と当接可能な第１の挟持部材と、前記第１の挟持部材と協働して前記撮影手段を挟持するために前記第２面と当接可能な第２の挟持部材と、前記第１の挟持部材に着脱可能であり、前記光学機器の接眼レンズ体とフィットする形状を有すると共に、前記接眼レンズ体の覗き口に対応した第２の撮影孔が形成されたアダプタと、を備え、前記接眼レンズに入射した光は、前記覗き口、前記第２の撮影孔、前記第１の撮影孔、及び、前記入射窓を介して前記撮影レンズに入射することを特徴とする撮影補助具を提供している。
【００１１】
また、前記第２の挟持部材は、前記第２面と面同士で当接するように支持部材により揺動可能に支持されていることが好ましい。
【００１２】
また、前記アダプタは、円筒形状又は円筒形状の一部の形状を有しており、前記円筒液状の内周面は、複数のレンズ体にフィット可能となるよう、階段状に形成されていることが好ましい。
【００１３】
このような構成によれば、１つのアダプタで様々な径を有する接眼レンズ体に対応可能となる。
【発明の効果】
【００１４】
本発明の撮影補助具によれば、光学機器を介した撮影を行う際に、光学機器に対して撮影手段を容易に固定することが可能となる。
【図面の簡単な説明】
【００１５】
【図１】本発明の第１の実施の形態による撮影補助具の使用状態の説明図
【図２】本発明の第１の実施の形態による撮影補助具の外観図
【図３】本発明の第１の実施の形態による第１の挟持部材の外観図
【図４】本発明の第１の実施の形態によるアダプタの断面図
【図５】本発明の第１の実施の形態による撮影補助具物の使用方法についてのフローチャート
【図６】本発明の変形例によるアダプタの断面図
【発明を実施するための形態】
【００１６】
以下、本発明の第１の実施の形態による撮影補助具１について、図１−図５を参照して説明する。
【００１７】
撮影補助具１は、図１に示すように、スマートフォン２により望遠鏡３を介した拡大撮影を行う際に、スマートフォン２を望遠鏡３に対して簡易的に固定するためのものである。
【００１８】
スマートフォン２は、撮影機能を有するものであり、第１面２１と、第１面２１の反対面である第２面２２と、を備え、内部には、撮影レンズ２３が内蔵されている。第１面２１には、撮影レンズ２３に光を入射させるための入射窓２４が設けられており、第２面２２には、操作画面等（図示せず）が設けられている。
【００１９】
望遠鏡３は、円柱形状の接眼レンズ体３１を備えており、接眼レンズ体３１の先端には覗き口３２が設けられている。
【００２０】
続いて、撮影補助具１の構成について説明する。
【００２１】
図１−図３に示すように、撮影補助具１は、第１の挟持体１１と、第２の挟持体１２と、アダプタ１３と、を備えている。
【００２２】
第１の挟持体１１は、第１の板状部材１１ａと、第１の挟持部材１１ｂと、を備えている。
【００２３】
第１の板状部材１１ａは、一端面１１ｃから他端面１１ｄにわたって多少湾曲した板形状を有している。
【００２４】
第１の挟持部材１１ｂは、図３に示すように、第１の撮影孔１１ｅが形成された円環形状を有しており、第１の板状部材１１ａの一端面１１ｃ側に設けられている。第１の撮影孔１１ｅは、スマートフォン２の入射窓２４よりも大きな孔サイズを有している。
【００２５】
また、第１の挟持部材１１ｂには、アダプタ１３が取り付けられる第１の取付部１１ｆが設けられている。本実施の形態では、第１の取付部１１ｆとして、円環形状の第１の挟持部材１１ｂの内周面にネジ溝が形成されているものとする。
【００２６】
第２の挟持体１２は、第２の板状部材１２ａと、第２の挟持部材１２ｂと、を備えている。
【００２７】
第２の板状部材１２ａは、一端面１２ｃから他端面１２ｄにわたって多少湾曲し、かつ、第１の板状部材１１ａと同程度の長さの板形状を有しており、第１の板状部材１１ａと対向して配置されている。
【００２８】
第２の挟持部材１２ｂは、円盤形状を有しており、第１の挟持部材１１ｂと対向するように一端面１２ｃ側に設けられている。但し、第２の挟持部材１２ｂは、一端面１２ｃ側に完全に固定されているわけではなく、円盤形状を有する第２の挟持部材１２ｂの略中心部分を中心として揺動可能なように、当該略中心部分が第２の板状部材１２ａの一端面１２ｃに支持されている。なお、第２の板状部材１２ａが、本発明の支持部材に相当する。
【００２９】
このような構成の下、第１の板状部材１１ａと第２の板状部材１２ａは、互いに対向した状態で中心よりもやや他端面１１ｄ側及び他端面１２ｄ側において、接続部材１４を介して揺動可能に接続されている。
【００３０】
また、第１の板状部材１１ａと第２の板状部材１２ａの間には、一端面１１ｃと一端面１２ｃを近づけるような付勢力を与えるバネ１５が設けられている。従って、通常時は、第１の挟持部材１１ｂと第２の挟持部材１２ｂが当接した状態となっているが、他端面１１ｄ側及び他端面１２ｄ側を近づけるように力を加えることで、バネ１５の付勢力に反して、一端面１１ｃと一端面１２ｃの間に空間が生じることとなる。
【００３１】
アダプタ１３は、円筒形状を有している。詳細には、図４に示すように、一端１３ａ側は、望遠鏡３の接眼レンズ体３１とフィットする径、すなわち、接眼レンズ体３１より僅かに大きな内径を有しており、他端１３ｂ側は、一端１３ａ側よりも小さな外径を有している。この円筒形状の内部空間が、第２の撮影孔１３ｃを形成している。
【００３２】
アダプタ１３の他端１３ｂ側には、第１の挟持部材１１ｂの第１の取付部１１ｆと係合される第２の取付部１３ｄが設けられている。本実施の形態では、第２の取付部１３ｄとして、円筒形状の第１の他端１３ｂの外周面に第１の取付部１１ｆと螺合可能なネジ溝（図示せず）が形成されているものとする。
【００３３】
続いて、図５のフローチャートを用いて、撮影補助具１の使用方法について説明する。図５のフローチャートでは、望遠鏡３が撮影対象を捉えている状態で開始するものとする。
【００３４】
まず、第１の挟持部材１１ｂと第２の挟持部材１２ｂでスマートフォン２を挟持する（Ｓ１）。この際、スマートフォン２の入射窓２４が第１の挟持部材１１ｂの第１の撮影孔１１ｅから全て露出するような位置で挟持することが好ましい。
【００３５】
なお、第２の挟持部材１２ｂは、円盤形状を有する第２の挟持部材１２ｂの略中心部分を中心として揺動可能なように、当該略中心部分が第２の板状部材１２ａの一端面１２ｃに支持されているため、挟持するスマートフォン２の厚みに応じて第２の挟持部材１２ｂが揺動し、第１の挟持部材１１ｂと第２の挟持部材１２ｂが平行な状態で対向することができる。
【００３６】
続いて、アダプタ１３を望遠鏡３の接眼レンズ体３１と略同軸上に配置した上で、一端１３ａ側から接眼レンズ体３１に向けて移動させることで、アダプタ１３を接眼レンズ体３１に被せる（Ｓ２）。
【００３７】
アダプタ１３を接眼レンズ体３１に被せることで、スマートフォン２は、接眼レンズ体３１（望遠鏡３）の径方向において固定された状態となる。一方、軸方向には移動可能であるが、撮影のために手に保持しているスマートフォン２を接眼レンズ体３１に向けて軽く押し付けるだけで、軸方向にも固定された状態となる。
【００３８】
また、この状態では、接眼レンズ体３１に入射した光は、覗き口３２、第２の撮影孔１３ｃ、第１の撮影孔１１ｅ、及び、入射窓２４を介して、スマートフォン２の撮影レンズ２３に入射している状態となっているので、続いて、スマートフォン２により撮影を行い（Ｓ３）、撮影後に、アダプタ１３をＳ２とは逆方向に移動させることで、アダプタ１３を接眼レンズから取り外す（Ｓ４）。
【００３９】
以上説明したように、本実施の形態による撮影補助具１では、スマートフォン２を挟持する第１の挟持部材１１ｂと第２の挟持部材１２ｂと、第１の挟持部材１１ｂに固定され、接眼レンズ体３１にフィットする径を有するアダプタ１３と、を備えている。
【００４０】
このような構成によれば、スマートフォン２や望遠鏡３に対して固定のための細工を施す必要がなく、スマートフォン２に間接的に固定されたアダプタ１３を接眼レンズ体３１に被せるという簡易な操作のみで、スマートフォン２を望遠鏡３に対して固定することが可能となる。
【００４１】
また、本実施の形態による撮影補助具１では、第２の挟持部材１２ｂは、円盤形状を有する第２の挟持部材１２ｂの略中心部分を中心として揺動可能なように、当該略中心部分が第２の板状部材１２ａの一端面１２ｃに支持されている。
【００４２】
このような構成によれば、挟持するスマートフォン２の厚みに応じて第２の挟持部材１２ｂが揺動し、第１の挟持部材１１ｂと第２の挟持部材１２ｂが平行な状態で対向することができるので、様々な厚みを有するスマートフォン２を安定して挟持することが可能となり、また、スマートフォン２による撮影方向と望遠鏡３による観測方向とがずれてしまうことも防止されている。
【００４３】
尚、本発明の撮影補助具は、上述した実施の形態に限定されず、特許請求の範囲に記載した範囲で種々の変形や改良が可能である。
【００４４】
例えば、上記実施の形態では、撮影補助具１には、アダプタ１３も含まれていたが、アダプタ１３は接眼レンズ体３１の径に応じて変更する必要があるため、別体としてもよい。
【００４５】
また、図６に示すように、アダプタ１３の内周面を階段状に形成し、１つのアダプタ１３で様々な径を有する接眼レンズ体３１に対応可能としてもよい。
【００４６】
また、アダプタ１３は、必ずしも円筒形状でなくても、例えば、軸方向に延びる複数のスリットによって接眼レンズ体３１の径にフィットするようにしてもよいし、円筒形状の一部（図１における上方部分等）のみを有する形状であってもよい。
【００４７】
また、上記実施の形態では、第２の挟持部材１２ｂは、その略中心部分が第２の板状部材１２ａの一端面１２ｃに支持されていたが、第２面２２と面同士で当接するように揺動可能に支持されていれば中心部分が支持されていなくてもよい。
【００４８】
また、上記実施の形態では、本発明の“撮影手段”の一例として、スマートフォン２を用いて説明したが、第１の挟持部材１１ｂと第２の挟持部材１２ｂで挟持することができる形状のものであれば、デジタルカメラ等の他の撮影手段に対して撮影補助具１を使用してもよい。
【００４９】
また、上記実施の形態では、本発明の“光学機器” の一例として、望遠鏡３を用いて説明したが、双眼鏡や顕微鏡等の他の光学機器に対して撮影補助具１を使用してもよい。
【符号の説明】
【００５０】
１          撮影補助具
２          スマートフォン
３          望遠鏡
１１      第１の挟持体
１１ａ  第１の板状部材
１１ｂ  第１の挟持部材
１１ｃ  一端面
１１ｄ  他端面
１１ｅ  第１の撮影孔
１１ｆ  第１の取付部
１２      第２の挟持体
１２ａ  第２の板状部材
１２ｂ  第２の挟持部材
１２ｃ  一端面
１２ｄ  他端面
１３      アダプタ
１３ａ  一端
１３ｂ  他端
１３ｃ  第２の撮影孔
１３ｄ  第２の取付部
１４      接続部材
１５      バネ
２１      第１面
２２      第２面
２３      撮影レンズ
２４      入射窓
３１      接眼レンズ体
３２      覗き口
【図１】
2018146713.tif 000003
【図２】
2018146713.tif 000004
【図３】
2018146713.tif 000005
【図４】
2018146713.tif 000006
【図５】
2018146713.tif 000007
【図６】
2018146713.tif 000008